(57)【要約】【課題】  解決しようとする問題点は液晶駆動回路の階調電圧を作成する回路部分は、安価化と低消費電力化の障害になっていた点である。【解決手段】  ＴＦＴ液晶の駆動回路に、階調を表示させるための電圧を複数発生する階調電圧発生回路を設け、該階調電圧発生回路は前記液晶表示部の画素に階調表示させるための複数の階調電圧を発生する階調電圧発生部と、該各階調電圧をインピーダンス変換するソースフォロア接続されたトランジスタ群と、該トランジスタ群の出力を選択して前記ＴＦＴ液晶の画素群に印加するアナログスイッチ部とを設けた。また前記ソースフォロア接続されたトランジスタ群の各トランジスタに電流制御回路を設け、前記電流制御回路に流す電流を選択期間には非選択期間の大部分の期間よりも大きく設定した。【選択図】        図２
2006098440.tif 000002
【特許請求の範囲】
【請求項１】
液晶表示部が個々の画素毎にトランジスタを有し、前記液晶表示部の行毎に設けられ、前記トランジスタのゲート電極に接続されて前記液晶表示部の行を選択する選択信号線群と、前記液晶表示部の列毎に設けられ、前記トランジスタのソース電極に接続され前記液晶表示部の各画素の表示状態を制御するための電圧データを与えるデータ電極線群を有している液晶表示装置の液晶駆動回路において、
前記液晶表示部に階調を表示させるための電圧を複数発生する階調電圧発生回路を設け、該階調電圧発生回路は前記液晶表示部の画素に階調表示させるための複数の階調電圧を発生する階調電圧発生部と、該各階調電圧をインピーダンス変換するソースフォロア接続されたトランジスタ群と、該トランジスタ群の出力を選択して前記データ電極線群に印加するアナログスイッチ部とを設けたことを特徴とする液晶駆動回路。
【請求項２】
前記ソースフォロア接続されたトランジスタ群の各トランジスタに電流制御回路を設けたことを特徴とする請求項１記載の液晶駆動回路。
【請求項３】
前記電流制御回路は抵抗素子を有することを特徴とする請求項２記載の液晶駆動回路。
【請求項４】
前記電流制御回路は直列に接続された抵抗素子とスイッチング素子を少なくとも１組有することを特徴とする請求項２記載の液晶駆動回路。
【請求項５】
前記電流制御回路に流す電流を可変としたことを特徴とする請求項２記載の液晶駆動回路。
【請求項６】
前記電流制御回路に流す電流を、前記液晶表示装置にデータを書き込む選択期間には前記液晶表示装置へのデータ書き込みを停止している非選択期間よりも大きく設定したことを特徴とする請求項５記載の液晶駆動回路。
【請求項７】
前記液晶駆動回路が、複数のカラー光を順次繰り返し発光する光源と、該光源の発光光の透過を制御する液晶表示部とを有し、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記液晶表示部に表示してカラー表示を行う表示装置を駆動することを特徴とする請求項１乃至６のいずれか一つに記載の液晶駆動回路。
【請求項８】
請求項１乃至７のいずれか一つに記載の前記液晶駆動回路を備えたことを特徴とする液晶駆動表示装置。
【発明の詳細な説明】
【技術分野】
【０００１】
本発明は、ＴＦＴ液晶を駆動する液晶駆動回路、特にその階調電圧発生回路の素子数削減、低消費電力化に関するものであり、またその液晶駆動回路を備えた液晶駆動表示装置に関するものである。
【背景技術】
【０００２】
近来携帯電話機等の電池を電源とする携帯機器にもＴＦＴ液晶によるカラー表示が出来る液晶表示装置が用いられるようになっている。
このような機器で問題になるのは電池寿命と安価化で、液晶表示部に階調表示させるための階調電圧発生回路は素子数が多いため安価化の阻害要因となっておりかつ消費電力が大きいという問題があった。
【０００３】
また、カラーフィルターを用いるカラー液晶表示装置では、カラーフィルターでバックライト光の約２／３が吸収されてしまうため電池寿命を延ばすための低消費電力化が困難であるという問題が解決出来なかった。また液晶表示部に階調表示させるための階調電圧発生回路は素子数が多いため安価化の阻害要因となっておりかつ消費電力が大きいという問題があった。
そこでフィールドシーケンシャルカラー（以下ＦＳＣと略記する）方式のカラー液晶表示方式が考えられた。この技術は特許文献１で述べられているように、異なる波長の複数の光を所定の周期で順次発光する光源の発光タイミングに同期して液晶に駆動電圧を印加することでカラー表示を行うものであるが、カラーフィルターを用いなくて済むため電力消費が少ない点、画素をカラーフィルターの色毎に分割しなくて済むため高精細化が可能な点が大きな利点となっており、携帯機器に適したカラー液晶表示装置の方式として認知されつつある。
【０００４】
図９はＦＳＣ方式液晶表示装置の制御法を説明する図である。
図９において、ｔＬが１フィールド期間を示しており、２フィールド期間で１フレーム、フレーム周波数は３０Ｈｚ以上とするのが一般的である。
ＦＳＣ方式では１フィールド期間ｔＬをバックライトの発光色数のサブフィールドに分割する。ここでは３原色である赤（Ｒ）のサブフィールドｔＲ、緑（Ｇ）のサブフィールドｔＧ、青（Ｂ）のサブフィールドｔＢの３つのサブフィールドに分割している。カラーフィルターを用いた通常の駆動方式では図９の「ＮＭＬ白色」で示すように白色のバックライトが１フィールド期間を通じてＯＮとされているのに対し、ＦＳＣ方式では赤（Ｒ）のサブフィールドｔＲでは液晶表示部に赤のデータを表示して該データを赤のバックライト「Ｒ」をＯＮにして表示し、緑（Ｇ）のサブフィールドｔＧでは液晶表示部に緑のデータを表示して該データを緑のバックライト「Ｇ」をＯＮにして表示し、青（Ｂ）のサブフィールドｔＢでは液晶表示部に青のデータを表示して該データを青のバックライト「Ｂ」をＯＮにして表示し、これら３原色の表示情報を人間の目が積分して表示を認識する。このように複数のカラー光を順次繰り返し発光させて表示していた。
しかし携帯電話機等の低消費電力化の必要性は非常に大きく、ＦＳＣ方式を採用するのみでは消費電力の削減は十分ではなく、また液晶制御系の素子数削減による安価化がさらに望まれている。
【０００５】
液晶制御系の素子数削減による安価化のためには、複数の階調電圧を液晶表示装置の各データ電極線毎に設けたセレクタで選択し、該選択された階調電圧をやはり液晶表示装置の各データ電極線毎に設けたコンパレータに送り、該コンパレータで共通に設けられたランプ電圧と前記選択された階調電圧とを比較し、一致した時には該電圧を液晶表示装置の
各データ電極線毎に設けたサンプリングコンデンサに蓄え、該サンプリングコンデンサに蓄えられた電圧を液晶表示装置の各データ電極線毎に設けたソースフォロア回路を介して液晶表示装置に送るという提案がある（例えば特許文献２参照）。
この技術は複数の階調電圧を選択する部分の素子数を減らし液晶表示装置駆動用のＩＣを小型化するためのものであるが、複数の階調電圧を作成する部分には言及されておらずまた消費電力を低減化する技術に関しても言及されていない。例えば、特許文献２の第１図に示された定電流源Ｉａ，Ｉｂ，Ｉｎも常に電流を流す構成となっている。
【０００６】
また、複数の階調電圧を液晶表示装置の各データ電極線毎に設けたセレクタで選択し、該選択された階調電圧を液晶表示装置の各データ電極線毎に設けたサンプリングコンデンサに蓄え、該サンプリングコンデンサに蓄えられた電圧を液晶表示装置の各データ電極線毎に設けたソースフォロア回路で低インピーダンス化して液晶表示装置に送るという提案がある。
この技術はやはり複数の階調電圧を選択する部分の素子数を減らし液晶表示装置駆動用のＩＣを小型化するためのものであるが、液晶表示装置の各データ電極線毎にソースフォロア回路を設けて低インピーダンス化している（例えば特許文献３参照）。
しかし、ソースフォロワ回路を出力ドライバに用いる場合にはＩＣに集積する場合にＭＯＳＦＥＴの基板電位を出力端子と接続する必要があり、他の素子と基板電位が異なる。そのため、ＩＣ内では基板電位を分離するために素子の電源を分離することになり、従来の出力回路に比べて小型化の効果はほとんど無いのが現実であった。しかも、中型及び小型の液晶表示装置ではそれほどの低インピーダンス化は必要はないので、基板電位の分離のための素子面積増大の割合が大きく、逆に従来よりも大きくなってしまい、本技術は中小型液晶表示装置駆動用ＩＣの小型化を阻害してしまう。
また、複数の階調電圧を作成する部分には言及されておらず、消費電力を低減化する技術に関しても言及されていないことは同様である。後者に関しては特許文献３の第１図の定電流トランジスタ群１５１，１５２，１５ｋが常に電流を流す構成となっていることからも明らかである。
【０００７】
【特許文献１】特開平５−１９２５７
【特許文献２】特許第２６００３７２号
【特許文献３】特公平７−３８１０４
【発明の開示】
【発明が解決しようとする課題】
【０００８】
解決しようとする問題点は液晶表示装置用駆動回路の階調電圧を作成する回路部分は、素子数が多く安価化の障害になっていた点と、消費電力が大きく低消費電力化の障害になっていた点である。
【課題を解決するための手段】
【０００９】
本発明の液晶駆動回路は、液晶表示部が個々の画素毎にトランジスタを有し、前記液晶表示部の行毎に設けられ、前記トランジスタのゲート電極に接続されて前記液晶表示部の行を選択する選択信号線群と、前記液晶表示部の列毎に設けられ、前記トランジスタのソース電極に接続され前記液晶表示部の各画素の表示状態を制御するための電圧データを与えるデータ電極線群を有している液晶表示装置の液晶駆動回路において、
前記液晶表示部に階調を表示させるための電圧を複数発生する階調電圧発生回路を設け、該階調電圧発生回路は前記液晶表示部の画素に階調表示させるための複数の階調電圧を発生する階調電圧発生部と、該各階調電圧をインピーダンス変換するソースフォロア接続
されたトランジスタ群と、該トランジスタ群の出力を選択して前記データ電極線群に印加するアナログスイッチ部とを設けたことを特徴とする。
【００１０】
また、本発明の液晶駆動回路は、前記ソースフォロア接続されたトランジスタ群の各トランジスタに電流制御回路を設けたことを特徴とする。
【００１１】
また、本発明の液晶駆動回路は、前記電流制御回路が抵抗素子を有することを特徴とする。
【００１２】
また、本発明の液晶駆動回路は、前記電流制御回路が直列に接続された抵抗素子とスイッチング素子を少なくとも１組有することを特徴とする。
【００１３】
また、本発明の液晶駆動回路は、前記電流制御回路に流す電流を可変としたことを特徴とする。
【００１４】
また、本発明の液晶駆動回路は、前記電流制御回路に流す電流を、前記液晶表示装置にデータを書き込む選択期間には前記液晶表示装置へのデータ書き込みを停止している非選択期間の大部分の期間よりも大きく設定したことを特徴とする。
【００１５】
また、本発明の液晶駆動回路は、複数のカラー光を順次繰り返し発光する光源と、該光源の発光光の透過を制御する液晶表示部とを有し、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記液晶表示部に表示してカラー表示を行う表示装置を駆動することを特徴とする。
【００１６】
また、本発明の液晶表示装置は、前記液晶駆動回路を備えたことを特徴とする。
【発明の効果】
【００１７】
本発明によれば、階調電圧発生回路の素子数を削減出来るため、階調電圧発生回路を構成する集積回路の面積を削減出来、安価化が可能となる。また、電流制御回路を設けたことにより安定な階調電圧を液晶表示部に供給することが可能となり表示画質の向上が計れる。さらに、該電流制御回路を間欠的にＯＮさせることにより低電流化が実現出来る。
【発明を実施するための最良の形態】
【００１８】
液晶表示部が個々の画素毎にトランジスタを有し、前記液晶表示部の行毎に設けられ、前記トランジスタのゲート電極に接続されて前記液晶表示部の行を選択する選択信号線群と、前記液晶表示部の列毎に設けられ、前記トランジスタのソース電極に接続され前記液晶表示部の各画素の表示状態を制御するための電圧データを与えるデータ電極線群を有している液晶表示装置の液晶駆動回路において、
前記液晶表示部に階調を表示させるための電圧を複数発生する階調電圧発生回路を設け、該階調電圧発生回路は前記液晶表示部の画素に階調表示させるための複数の階調電圧を発生する階調電圧発生部と、該各階調電圧をインピーダンス変換するソースフォロア接続されたトランジスタ群と、該トランジスタ群の出力を選択して前記データ電極線群に印加するアナログスイッチ部とを設けた。また前記ソースフォロア接続されたトランジスタ群の各トランジスタに電流制御回路を設け、前記電流制御回路に流す電流を、液晶表示装置にデータを書き込む選択期間には前記液晶表示装置へのデータ書き込みを停止している非選択期間の大部分の期間よりも大きく設定した。
【実施例】
【００１９】
図６、図７は本発明の駆動回路が駆動する液晶表示装置の断面図の例で、ＦＳＣ駆動方
式の液晶表示装置を例示している。
図６（ａ）において、上側透明基板１４と下側透明基板１８との間隔１６に液晶物質が狭持され、上側透明基板１４の上方と下側透明基板１８の下方には偏光板１２，２０がそれぞれ貼られて液晶表示部となっている。下側透明基板１８の下方には、赤、緑、青の光を順次繰り返して発光する光源２４と該光源２４の発光光を面状に拡散させる導光板２２と、導光板２２の下方に設けられた反射層２８から成るバックライトが設けられている。
このように構成されていることにより、ＦＳＣ駆動を行う時はバックライトから３原色の光が順次発光されて液晶表示部を照明し、液晶表示部は各色に対応した表示データに従ったシャッターとして機能しカラー表示が行われる。
また光源２４の発光を停止すれば反射型の表示装置としても使用可能である。
なお以下の図において、同様の部材には同様の番号を付している。
【００２０】
図６（ｂ）の断面図が図６（ａ）の断面図と異なるのは下側透明基板１８と導光板２２との間に半透過反射板２６が設けられている点である。
ＦＳＣ駆動を行う時はバックライト光のうち半透過反射板２６を透過した光が液晶表示部を照明し、白黒表示の時は半透過反射板２６に到達した光が部分的に反射されて上側透明基板１４の上方に戻される。
【００２１】
図７（ａ）の断面図が図６（ａ）の断面図と異なるのは下側透明基板１８上に内部反射層３０が設けられている点である。
内部反射層３０は画素毎に図７（ｂ）に示したように、反射層部３０の一部がくりぬかれて光透過部３２を形成している。
ＦＳＣ駆動を行う時はバックライト光が光透過部３２を透過して液晶表示部を照明し、白黒表示の時は反射層部３０が外光を反射して白黒反射表示を行う。
なお内部反射層３０は後述するＴＦＴ電極群形成時に同時に形成可能なのでコスト面での効果がある。
【００２２】
図８は本発明で用いるＴＦＴ液晶装置の電極構成図の例である。
図８において、上側透明基板１４上には各画素４３，５３，６３毎にトランジスタ４２，５２，６２、キャパシタ４４，５４，６４がそれぞれ設けられ、トランジスタ４２，５２，６２とキャパシタ４４，５４，６４のそれぞれの接続点が液晶画素４６，５６，６６の電極に接続されている。キャパシタ４４，５４，６４と液晶画素４６，５６，６６の他方の電極は対向基板である下側透明基板１８上に形成されＧＮＤ電位が与えられている共通電極に接続されている。
トランジスタ４２，５２，６２のゲート電極は各行毎に選択信号線群５０のうちの１本に接続されて各行のトランジスタ４２，５２，６２が順次走査すなわち選択され、選択されたトランジスタ４２，５２，６２は導通状態になって、ソース電極に接続されたデータ電極群４８のうちの１本の表示データをキャパシタ４４，５４，６４に取り込む。液晶画素４３，５３，６３はキャパシタ４４，５４，６４に取り込まれた電圧に従って駆動される。一行分の複数の画素のそれぞれのトランジスタのゲート電極は、選択信号線群５０のうちの同じ一本に接続されおり、該それぞれのトランジスタによってそれぞれの液晶画素及びキャパシタに表示情報が書き込まれ、キャパシタによって表示情報は保持されている。このように本発明で用いる液晶表示部は画素にデータが書き込まれると少なくとも一定の時間表示状態を保持することが出来る。
カラーフィルターを用いた液晶表示装置の通常の駆動では一番目のゲート線が選択されてから次に選択されるまでが１フィールド、ＦＳＣ駆動では１フィールド間に光源色の数、ここでは３回、ゲート線が選択される。
図示していないが、駆動用のＩＣは上側透明基板１４上にＣＯＧ実装しても良いし、フィルム上に実装した駆動用ＩＣをデータ電極群４８及び選択信号線群５０に接続しても良い。
なお、図８に示した表示部を９０度もしくは２７０度回転して使うことは設計上の問題である。その場合は行が縦方向の線となり、列が横方向の線となる。
【００２３】
図１は本発明による液晶駆動回路の実施例を示したブロック図で、階調電圧発生回路部を示している。
図１において、階調電圧発生回路７８は液晶表示部の画素に階調表示させるための複数の階調電圧を発生する階調電圧発生部８８と、該各階調電圧をインピーダンス変換するソースフォロア接続されたトランジスタ群９０と、該トランジスタ群９０の出力を選択して前記データ電極線群に印加するアナログスイッチ部９４とから成る。階調電圧発生部８８は液晶表示部の表示する階調数の階調電圧信号を発生し、トランジスタ群９０は該階調電圧信号群を低インピーダンス化してバスライン９３に出力する。画像メモリ７０は後述する各色のサブフィールド期間の書込期間に同期して各色各行各画素の表示データをアナログスイッチ部９４に送る。アナログスイッチ部９４は表示データにしたがって階調電圧信号をバスライン９３から選択し図８に示したデータ電極群４８に送る。ここで図１においては各液晶画素の階調信号が４ビットで構成されている例を示している。階調電圧信号群を低インピーダンス化するトランジスタ群９０の各トランジスタには電流制御回路部９２で電流制御回路が接続されている。該電流制御回路部９２は低インピーダンス化した階調電圧信号が負荷変動によって変動する幅を小さくするために設けたもので、アナログスイッチ部９４を介して液晶表示部の各画素に階調電圧を書き込んでいる期間はＯＮ／ＯＦＦ信号によって導通状態とされ、その他の期間は低消費電力化のため非導通状態とされる。
【００２４】
図２は本発明による液晶駆動回路の階調電圧発生部８８とトランジスタ群９０との実施例回路及び電流制御回路９２とアナログスイッチ部９４との実施例ブロックを示した図で、８階調の階調電圧を出力する例を示している。
図２において、階調電圧発生部８８は電源電位ＶＤＤとＧＮＤ間に直列に接続された９本の抵抗Ｒ１〜Ｒ９によって構成され、それぞれの抵抗の接続点から階調表示で用いる階調電圧が得られるようそれぞれの抵抗の抵抗値が設定されている。階調電圧発生部８８で発生された８階調分８種の電圧はトランジスタ群９０に送られる。
なお、８種の電圧を発生するための構成は抵抗８本で構成しても、７本で構成しても良い。また抵抗群Ｒ１〜Ｒ９に直列にスイッチを設け、後述する書き込み期間以外は電流を流さない構成にして低消費電力化を計っても良い。
【００２５】
トランジスタ群９０はドレイン電極をＶＤＤに接続され、ゲート電極に階調電圧が印加され、ソース電極を出力とするソースフォロアー接続されたトランジスタＴｒ１〜Ｔｒ８よりなる。ソースフォロアー接続されたトランジスタＴｒ１〜Ｔｒ８のゲート電極に印加される階調電圧は比較的高インピーダンスであるが、該トランジスタ群の出力であるソース電極からは低インピーダンス化された階調電圧が得られる。
従来はインピーダンス変換用の素子としてオペアンプが用いられていたが、本発明においてはソースフォロアー接続されたトランジスタを用いたため大幅に素子数を減らすことが出来た。図２の実施例は簡単のため８階調で描かれているが、２５６階調、５１２階調のように階調数が多い場合はこの効果は非常に大きなものとなる。
なお、階調電圧発生部８８の出力電圧はソースフォロアー接続されたトランジスタＴｒ１〜Ｔｒ８で該トランジスタの閾値電圧（以下Ｖｔｈと略記する）分降下するため、階調電圧発生部８８の出力電圧はＶｔｈ分高めになるよう抵抗Ｒ１〜Ｒ９の抵抗値を設定している。
【００２６】
トランジスタ群９０の各出力線には電流制御回路部９２で電流制御回路Ｉ１〜Ｉ８が接続され、該各出力線は階調電圧のバスライン９３に接続されている。
電流制御回路Ｉ１〜Ｉ８はバスライン９３上の階調電圧の過負荷による変動を防ぐため設けられたもので、バスライン９３から液晶表示部の各画素に階調電圧が書き込まれる間
はＶＤＤ→Ｔｒｎ→Ｉｎ→ＧＮＤの経路でブリーダ電流を流し階調電圧の変動を防いでいる。これにより安定な階調電圧を液晶表示部に供給することが可能となり表示画質の向上が計れた。
また、電流制御回路Ｉ１〜Ｉ８はＯＮ／ＯＦＦ信号によりブリーダ電流をＯＮ／ＯＦＦ出来るように構成し液晶表示部の各画素に階調電圧が書き込まれる間はＯＮとし、それ以外の期間はＯＦＦとした。このように電流制御回路を間欠的にＯＮさせることにより表示画質を維持しながらの低電流化が実現出来た。
【００２７】
アナログスイッチ部９４には図８に示したデータ電極線４８の数のスイッチ部９４１〜９４ｎが設けられており、図１に示した画像メモリ７０から送られる表示データ９５に応答して階調電圧のバスライン９３から階調電圧を選択しデータ電極線４８に送る。
図２のように構成したことにより、基板電位の分離が必要でＩＣに集積した時大きな面積が必要なトランジスタ群９０は―組、ＩＣに集積した時比較的面積が小さい各アナログスイッチ部９４１〜９４ｎは表示部のデータ電極線４８の数の組数用いることで階調電圧発生回路７８が構成出来た。このため本発明による階調電圧発生回路を設けた液晶駆動回路用の集積回路は面積を削減出来、安価化が可能となっている。この効果は表示部のデータ電極線４８の数の組数、大きな面積が必要なソースフォロアー接続されたトランジスタ群必要とする、例えば特許文献３の技術と比較すると明らかである。
【００２８】
図３は電流制御回路Ｉ１〜Ｉ８の実施例回路で、図３（ａ）は直列に接続された抵抗素子１００とスイッチング素子１０２を１組備えた例、図３（ｂ）はそれぞれ直列に接続された抵抗素子１１０、１１２とスイッチング素子１１４，１１６を２組備えた例である。スイッチング素子１０２，１１４は例えば図２に示したＯＮ／ＯＦＦ信号１０４によって導通、非導通が制御され、スイッチング素子１１６は例えば図２に示したＯＮ／ＯＦＦ信号１０４がインバータ１０６によって反転された信号１０８によって導通、非導通が制御されている。
図３に示したように、本発明においては、電流制御回路が抵抗素子を有しており、かつ直列に接続された抵抗素子とスイッチング素子を少なくとも１組有している。
このように電流制御回路を構成したことにより、図３（ａ）の構成の場合には、液晶表示装置にデータを書き込む選択期間ではスイッチング素子１０２を導通状態にして比較的低い抵抗値の抵抗素子１００を介して比較的大きな電流を流して図２に示したソースフォロアートランジスタ群Ｔｒ１〜Ｔｒ８の出力電圧を負荷変動に対して安定化させている。
液晶表示装置へのデータ書き込みを停止している非選択期間の大部分の期間ではスイッチング素子１０２を非導通状態にして図２に示したソースフォロアートランジスタ群Ｔｒ１〜Ｔｒ８を介して流れる電流をほぼゼロにし低消費電力化を計っている。
【００２９】
図３（ｂ）の構成の場合には、前記選択期間ではスイッチング素子１１４を導通状態にして比較的低い抵抗値の抵抗素子１１０を介して比較的大きな電流を流してソースフォロアートランジスタ群Ｔｒ１〜Ｔｒ８の出力電圧を負荷変動に対して安定化させ、非選択期間の大部分の期間ではスイッチング素子１１４を非導通、スイッチング素子１１６を導通状態にして比較的高い抵抗値の抵抗素子１１２を介して比較的小さな電流を流し、ソースフォロアートランジスタ群Ｔｒ１〜Ｔｒ８の出力電圧を無負荷時も安定化させながら低消費電力化も計っている。
このように、本発明の液晶駆動回路は、前記電流制御回路に流す電流を可変としたことにより、選択期間には前記液晶表示装置へのデータ書き込みを停止している非選択期間の大部分の期間よりも電流制御回路に流す電流を大きく設定することを可能にしている。
なお、駆動回路の小型化のため、電流制御回路を抵抗素子のみで構成することも考え得る。
【００３０】
図４はアナログスイッチ部９４の実施例回路図である。
図４において、図２に示した１つのスイッチ部、例えば９４１は、ＰチャネルトランジスタとＮチャネルトランジスタが並列に接続されたアナログスイッチ９４１１〜９４１８から成り、それぞれが階調電圧のバスライン９３の異なるラインに接続され、出力はワイヤードＯＲ接続されて図８に示したデータ電極線群４８に接続される。
図１に示した画像メモリ７０から送られる表示データ９５はデコーダ９６に入力され、該デコーダ９６の出力によってアナログスイッチ９４１１〜９４１８のうちの１つが導通状態となり表示データ９５に従った階調電圧を出力する。
【００３１】
図５は本発明のＦＳＣ方式液晶表示装置の制御法を例にとって本発明を説明するタイミングチャートである。
図５において、ｔＬは１フィールド期間で、１つののフィールド期間が赤色用サブフィールドｔＲ，緑色用サブフィールドｔＧ，青色用サブフィールドｔＢに分割され、さらに各サブフィールドが液晶表示装置に表示データを書き込む書込期間ｔｗｒと、液晶表示部が応答するのを待つ応答待期間ｔｗａと、前記光源の当該色を発光させる点灯期間ｔｌｉとに図示のように分割されている。
【００３２】
ＦＳＣ方式駆動においては、赤サブフィールドｔＲの書込期間ｔｗｒ中にゲート選択信号がｍ本の各ゲート線を選択してＴＦＴ液晶装置に赤の表示データを書込む。例えばＫ＝１で示したゲート選択信号がＨレベルの時図８の一番上方の選択信号線４９を選択し、Ｋ＝ｍで示したゲート選択信号がＨレベルの時図８の一番下方の選択信号線５１を選択し、該選択されている期間に図８に示した液晶の各画素４３，５３，６３に表示データが書き込まれる。液晶が該データに応答する時間である応答待期間ｔｗａ待ってから点灯期間ｔｌｉで赤のバックライト「Ｒ」を図示のタイミングで点灯（ＯＮ）させる。
同様に緑サブフィールドｔＧの書込期間ｔｗｒ中にゲート選択信号がｍ本の各ゲート線を選択してＴＦＴ液晶装置に緑の表示データを書込む。液晶が該データに応答する時間である応答待期間ｔｗａ待ってから点灯期間ｔｌｉで緑のバックライト「Ｇ」を図示のタイミングで点灯（ＯＮ）させる。
青サブフィールドｔＢにおいては、書込期間ｔｗｒ中にゲート選択信号がｍ本の各ゲート線を選択してＴＦＴ液晶装置に青の表示データを書込む。液晶が該データに応答する時間である応答待期間ｔｗａ待ってから点灯期間ｔｌｉで青のバックライト「Ｂ」を図示のタイミングで点灯（ＯＮ）させる。
【００３３】
電流制御回路Ｉ１〜Ｉ８は各サブフィールドの書込期間ｔｗｒで導通状態（ＯＮ）となってブリーダ電流を流し、各サブフィールドの応答待期間ｔｗａ及び点灯期間ｔｌｉでは非導通状態（ＯＦＦ）となってブリーダ電流を流さないよう制御される。書込期間ｔｗｒが選択期間に相当し、応答待期間ｔｗａ及び点灯期間ｔｌｉが非選択期間に相当している。このように制御したことにより、液晶表示装置の各画素に表示データを書込む書込期間ｔｗｒでは階調電圧が供給されている階調電圧のバスライン９３の電圧を安定させることが出来、その結果クロストーク等による表示品質の悪化を避けることが出来ている。また液晶表示装置の各画素に表示データを書込まず、液晶表示装置の各画素が表示データを保持している応答待期間ｔｗａ及び点灯期間ｔｌｉでは電流制御回路Ｉ１〜Ｉ８にブリーダ電流を流さないため低消費電力化が実現出来た。
【００３４】
なお、本実施例では、書込期間ｔｗｒのみ電流制御回路Ｉ１〜Ｉ８がＯＮとなってソースフォロアー接続されたトランジスタから電流制御回路に電流を流し、応答待期間ｔｗａ及び点灯期間ｔｌｉでは電流制御回路Ｉ１〜Ｉ８をＯＦＦとして電流の流れをを遮断する例を示したが、電流制御回路Ｉ１〜Ｉ８に電流を流す期間は応答待期間ｔｗａ及び点灯期間ｔｌｉの一部の期間に食い込ませても良いし、電流制御回路Ｉ１〜Ｉ８をＯＦＦにする代わりに階調電圧のバスライン９３の電圧を安定させるため微少な電流を流す構成としても良い。
すなわち、電流制御回路Ｉ１〜Ｉ８に流す電流を書込期間ｔｗｒには応答待期間ｔｗａ及び点灯期間ｔｌｉの大部分の期間よりも大きく、例えば数十倍に、設定する構成とすれば、表示品質の維持及び低消費電力化の効果を生じる。
また、本発明はＦＳＣ駆動方式の液晶表示装置に限らず、例えば１フレーム中の書込期間を短かくしたインパルス駆動方式の液晶装置、ＴＦＴのゲート選択期間後の帰線期間が長い駆動方式の液晶装置のように、液晶表示装置へのデータ書き込みを停止している非選択期間を有する液晶表示装置には有効である。
【００３５】
以上説明したように、本発明によれば、階調電圧発生回路を構成する集積回路の面積を削減出来、安価化が可能となる。また、電流制御回路を設けたことにより表示画質の向上が計れる。さらに表示画質を維持した状態で低電流化も実現出来効果は大きい。
【図面の簡単な説明】
【００３６】
【図１】本発明によるＦＳＣ方式液晶表示装置の実施例を示したブロック図である。
【図２】本発明による階調電圧発生部とトランジスタ群との実施例回路及び電流制御回路とアナログスイッチ部との実施例ブロックを示した図である。
【図３】本発明による電流制御回路の実施例回路である。
【図４】アナログスイッチ部の実施例回路図である。
【図５】本発明のＦＳＣ方式液晶表示装置の制御法を説明するタイミングチャートである。
【図６】本発明で用いるＦＳＣ方式液晶表示装置の断面図の例である。
【図７】本発明で用いるＦＳＣ方式液晶表示装置の断面図の例である。
【図８】本発明で用いるＴＦＴ液晶装置の電極構成図の例である。
【図９】ＦＳＣ方式液晶表示装置の制御法を説明する図である。
【符号の説明】
【００３７】
２４  光源
４２，５２，６２  画素毎のトランジスタ
５０  選択信号線群
４８  データ電極線群
７８  階調電圧発生回路
８８  階調電圧発生部
９０  ソースフォロア接続されたトランジスタ群
９４  アナログスイッチ部
ｔｗｒ  書込期間
ｔｗａ  応答待期間
ｔｌｉ  点灯期間
Ｉ１，Ｉ２，Ｉ３，・・・、Ｉ８  電流制御回路
ｔｗｒ  選択期間
ｔｗａ、ｔｌｉ  非選択期間
【図１】
2006098440.tif 000003
【図２】
2006098440.tif 000004
【図３】
2006098440.tif 000005
【図４】
2006098440.tif 000006
【図５】
2006098440.tif 000007
【図６】
2006098440.tif 000008
【図７】
2006098440.tif 000009
【図８】
2006098440.tif 000010
【図９】
2006098440.tif 000011